(57)【要約】【課題】周囲が暗くても十分視認性を確保することができ、しかも筐体内部の１つの光源から両面に設けた液晶表示面を照光させる構成であって薄型・軽量化が容易な携帯端末機器を提供する。【解決手段】単一の液晶表示器４を用いて上側筐体４の表裏両面に設けた複数の表示部（表示面）１１、１２に情報を表示させる携帯端末機器であって、単一の液晶表示器４の発光素子４１からの照明光を互いに反対方向に導光して液晶表示器４の本体部４０の両面を照光可能とする導光板４２を備えた。【選択図】　図２
2004037627.tif 000002
【特許請求の範囲】
【請求項１】
単一の液晶表示器を用いて筐体の表裏両面に設けた複数の表示面に情報を表示させる携帯端末機器であって、
前記単一の液晶表示器の発光素子からの照明光を互いに反対方向に導光して前記液晶表示器の本体部の両面を照光するための導光板を備えたことを特徴とした携帯端末機器。
【請求項２】
前記液晶表示器の本体部の両面に達する単一の導光板を配置し、前記単一の液晶表示器の本体両面を照光可能に構成したことを特徴とする請求項１に記載の携帯端末機器。
【請求項３】
前記導光板を前記液晶表示器の本体部の両面に回込む回込形状に形成し、前記単一の液晶表示器の本体部の両面を照光可能に構成したことを特徴とした照光装置を備えた請求項１に記載の携帯端末機器。
【請求項４】
前記液晶表示器の本体部に臨む前記導光板の一部に開口を設け、この開口から表示画像情報を視認可能に構成したことを特徴とする請求項１乃至３のいずれか１項に記載の携帯端末機器。
【請求項５】
前記液晶表示器の本体部の両面のうち照明光が透過可能な表示面に対応する透過領域を互いにずらして重複を避けた位置に設けるとともに、
前記液晶表示器の本体部の前記透過領域に対応する位置に前記導光板の前記開口を設けたことを特徴とする請求項４に記載の携帯端末機器。
【請求項６】
筐体の開閉を検知できる検知手段を備え、
この検知手段で検知した開閉状態に応じて前記液晶表示器の動作領域を制限して画像情報を表示させる前記表示部を切替えるように構成したことを特徴とする請求項１乃至５のいずれか１項に記載の携帯端末機器。
【発明の詳細な説明】
【０００１】
【産業上の利用分野】
本発明は、携帯電話機、ＰＨＳ、ＰＤＡ、ポケットベルなどの携帯端末機器に係り、特にこの携帯端末機器に用いられる文字や記号等を表示する液晶表示器において両面に存在する表示部の表示面を照光させることができる携帯端末機器に関する。
【０００２】
【従来の技術】
近年、携帯電話機等の携帯端末機器は目覚しい伸びで普及し続けており、その用途は単に通話だけにとどまらず、文字情報なども入手したいという要求も高まっている。
そこで、携帯端末機器は、文字情報を１度に多く表示できるように表示面が大きくなる傾向にある。そのため、携帯端末機器も棒状タイプだけではなく、大きな面積を確保し易いように、表示部とキー入力部とを互いに分離・独立した２つの筐体に別々に設けた折畳式の携帯端末機器の需要が伸びてきている。
【０００３】
さらに、この折畳式の携帯端末機器においては、筐体を開放することなく折畳んだ状態のままで、着信時の履歴などだけを確認したいとの要望もあり、従来の情報を読み取るためのメインの表示部と、着信履歴のみを表示するためのサブ的要素を持った表示部（以下、サブ表示部とよぶ）との都合２面を本体の両面に独立別個に備えた携帯端末機器が開発されてきている。この構造について、以下に簡単に説明する。
【０００４】
図６には、一般的な構成の携帯端末機を示している。
この携帯端末機では、図６（Ａ）に示すように、通話時や情報を確認する際には、メインの表示部１０１を視認できるようにするため、筐体１００を構成する上側筐体１００Ａ及び下側筐体１００Ｂが開いた状態で使用される。また、通常、通話・通信の待ち受け時には、図６（Ｂ）に示すように、筐体１００を閉じた状態でポケットなどに納められていることが多く、着信履歴のみを確認する場合には、この筐体を開いた状態のままサブ表示部（サブ表示面）１０２を確認すればよい構造となっている。
【０００５】
さらに、このサブ表示部として液晶によるサブ表示面を備えた上側筐体の内部について、図７を参照しながら詳細に説明する。
この上側筐体１００Ａは、概略構成として、外側ケース２０１と、メイン液晶表示器２０２と、導光板２０３を備えた液晶ホルダ２０４と、基板２０５と、サブの液晶表示器２０６と、サブ液晶ホルダ２０７と、内側ケース２０８と、表示部（表示面）２０９などとを備えている。
【０００６】
さらに、液晶表示器の作用について、上側筐体の断面構造図である図８を参照しながら詳細に説明する。
発光素子２１０から出た光は、導光板２０３の端面から入射する。この端面から入射する光のうち、導光板２０３の端面に対して垂直に入射する光は直進して進み、それ以外の光は端面で屈折する。そして、その垂直入射光以外は、導光板２０３の両側に存在する拡散シート２１１と反射シート２１２に反射しながら、導光板２０３の入光部とは反対側の端面まで進む。そして、反射シート２１２を反射した光が拡散シート２１１を通過することにより、メイン液晶表示器２０２を発光させる構造となっている。この構成については、サブの液晶表示器においても同様な構造が取られている。
【０００７】
【発明が解決しようとする課題】
このように、表示部を液晶表示器によって表示させようとすると、通常、片面に反射板を切り取ったバックライトを設ける片面表示となっており、両面に表示部を設けようとするには、どうしても複数個の液晶表示器が必要になっている。しかしながら、このような構成によれば、着信履歴の確認のためだけに、メインの液晶表示器と同様な構造のサブの液晶表示器をメインの液晶表示部の基板を挟んだ反対面に設置する必要があり、携帯端末機器の小型・軽量化を図ることが難しかった。
【０００８】
そこで、メインの液晶表示器の両面の一部に反射シートを配置し、両面から確認することができる構造を備えた液晶表示器の開発が検討されている。これを実現するために、例えば、液晶表示器の構成として液晶の片側に貼りつけられていた偏光板を表側と裏側に貼りつけられた液晶を用いることにより、両面を表示させることができる液晶表示器が提案されてきている。これについては例えば、特開平８−１５２６１９号公報を参照されたい。
【０００９】
しかしながら、この方法では、液晶表示器を動作させて表示面に情報などを表示させるための照光装置が備えられておらず、外部からの光のみによって視認性を確保しているために、周囲が暗い場合には表示面の視認性が悪くなるという問題を有していた。
【００１０】
この発明は、上記した事情に鑑み、周囲が暗くても十分視認性を確保することができ、しかも筐体内部の１つの光源から両面に設けた液晶表示面を照光させる構成であって薄型化及び軽量化が容易な携帯端末機器を提供することを目的とするものである。
【００１１】
【課題を解決するための手段】
本発明の携帯端末機器は、単一の液晶表示器を用いて筐体の表裏両面に設けた複数の表示面に情報を表示させる携帯端末機器であって、
前記単一の液晶表示器の発光素子からの照明光を表裏両面に設けた複数の表示面に導光し前記液晶表示器の本体部の両面を照光可能な導光板を備えたことを特徴としている。
【００１２】
この構成によって、単一の液晶表示器を用いることで、薄型で安価にユニットの両側を明るく照光させることができ、周囲が暗くても画像表示の視認性を向上させることができる。
【００１３】
また、この発明の携帯端末機器は、前記液晶表示器の本体部の両面に達する単一の導光板を配置し、前記単一の液晶表示器の本体両面を照光可能に構成してもよい。
【００１４】
これにより、単一の導光板で本体両面を照光させることができ、その結果、筐体両面に設けた複数の表示部を照光させる構成の液晶表示器として構成部品の削減を図ることができる。
【００１５】
また、この発明の携帯端末機器は、前記導光板を前記液晶表示器の本体部の両面に回込む回込形状に形成し、前記単一の液晶表示器の本体両面を照光可能に構成してもよい。
【００１６】
これにより、単一の単純な形状の導光板で液晶本体部の両面を照光させることができ、その結果、筐体両面に設けた複数の表示部を照光させる構成の液晶表示器として構成部品の削減及び単純化を図ることができる。
【００１７】
また、この発明の携帯端末機器は、前記液晶表示器の本体部に臨む前記導光板の一部に開口を設け、この開口から表示画像情報を視認可能に構成することができる。
【００１８】
これにより、液晶表示器の本体部の一部に対しては、一方向からのみ照光させることができるようになり、単一の導光板で複数の表示部への照光が可能になるので、液晶表示器の小型化、軽量化が可能になる。
【００１９】
また、この発明の携帯端末機器は、前記液晶表示器の本体部の両面のうち照明光が透過可能な表示面に対応する透過領域を互いにずらして重複を避けた位置に設けるとともに、
前記導光板の前記開口を液晶表示器の本体部の前記透過領域に対応する位置に設けてもよい。
【００２０】
これにより、簡単な構成で、液晶表示器の本体部の両面側に複数の表示部を自由に設定・形成することができる。
【００２１】
また、この発明の携帯端末機器は、筐体の開閉を検知できる検知手段を備え、この検知手段で検知した開閉状態に応じて前記液晶表示器の動作領域を制限して画像情報を表示させる前記表示部を切替えるように構成してもよい。
【００２２】
これにより、筐体を開いた時には筐体内面に設けた表示部のみに画像情報を表示させ、筐体を閉じたときには筐体外面に設けた表示部のみに画像情報を表示させることができる。
【００２３】
【発明の実施の形態】
以下、本発明の実施例について、添付図面を参照しながら説明する。
［第１の実施の形態］
図１は、この発明の第１の実施の形態に係る携帯電話機を示すものであり、この携帯電話機は、液晶表示器４を設けた上側筐体１と、操作部（図略）を設けた下側筐体２と、これらの筐体を回動可能に連結するヒンジ部３とを有する開閉式のもので構成されている。
【００２４】
上側筐体１には、内側ケース１Ａ（内面）側にメイン表示面１１が設けられていると共に、外側ケース１Ｂ（外面）側にサブ表示面１２が設けられており、単一の液晶表示器４を用いるものであるが、いずれの表示面にも文字や図形などの各種情報を表示することができるように構成されている。
【００２５】
なお、筐体を開いた状態のときには、メイン表示面１１に、中央部に大きく開口したメイン窓１１Ａを通して各種の情報が視認できるようになっている。一方、サブ表示面１２には中央部にメイン窓１１Ａよりも小さく開口したサブ窓１２Ａを通して各種の情報が筐体を閉じた状態のまま視認できるようになっている。
【００２６】
液晶表示器４は、概略構成として、液晶表示用の照明光を発光するための光源である発光素子４１と、この発光素子４１からの照明光を導光させて面発光させる導光板４２と、この導光板４２からの光を入射する液晶本体部４３と、拡散シート４４と、反射シート４５などとを液晶ホルダ４０に備えており、基板４６上に設けた図示外の制御部による制御で液晶本体部４３の透明電極などを駆動するようになっている。
【００２７】
液晶ホルダ４０は、長短２つの面を一方側端面部分で連結された断面略コ字形に形成されているとともに、この内側に導光板４２が挿入・装着されるようになっている。なお、短面側の開口部分４０Ａがメイン表示部１１のメイン窓１１Ａに臨むようになっている。一方、長面側にはサブ表示部１２のサブ窓１２Ａが臨むための開口４０Ｂが形成されている。
【００２８】
導光板４２にも、図３及び図４に示すように、液晶ホルダ４０と同様に断面略コ字形、別言すれば液晶本体部４３の両面に照明光を回込ませる回込形状に形成されており、長面側（以下、これを長面部４２Ａとよぶ）には液晶ホルダ４０側の開口４０Ｂと対向する部分に同様の開口４２Ｂが形成されている。この導光板４２の開口４２Ｂには、長面部４２Ａと対向・対峙して設けた短面部４２Ｄからの照明光が投光・照光されるようになっている。一方、この導光板４２の内側には、液晶本体部４３が挿入・配設されるように構成されている。なお、この実施の形態の導光板４２には、図３では図示しないが、光源である発光素子４１からの照明光を効率よく取込むための入光部４２Ｃ（図２参照）が形成されている。
【００２９】
液晶本体部４３には、公知の構成のものが用いられており、具体的には、いずれも図示しないが、一対の偏光子と、この偏光子の間に配設する一対の透明電極と、この一対の透明電極の間に配設する液晶などとで構成されている。
【００３０】
拡散シート４４は、ここに入射する光を拡散させて均一に表示面を照明させるものであり、図３及び図４に示すように、液晶本体部４３の外面で、かつ、導光板４２の内面側に配設された略矩形状のもので構成されており、第１拡散シート４４Ａと第２拡散シート４４Ｂなどとで構成されている。
このうち第１拡散シート４４Ａは、図３において液晶本体部４３の上面に配設された小型のものからなり、これ以外の液晶本体部４３の上面領域が実質上略メイン表示部を構成するようになっている。一方、第２拡散シート４４Ｂは、図４において液晶本体部４３の上面に配設された大型のものからなり、これ以外の液晶本体部４３の上面領域が実質上略サブ表示部を構成するようになっている。
【００３１】
反射シート４５は、発光素子４１からの照明光が外部に漏れ出すのを防止するものであり、反射率の高い適宜のシート状材料で形成されており、第１及び第２の拡散シート４４Ａ及び４４Ｂが配設された導光板４２の内面と対応する外面部分に第１及び第２の反射シート４５Ａ及び４５Ｂがそれぞれ配設されている。
なお、導光板４２には、液晶表示器４に設けた前述の大小２つの表示面及び反射シートの配設された領域以外の外面領域である端面にも、発光素子４１からの光の入射する入光部４２Ｃ以外の部分に反射シートが配設されており、入射する光を洩れなく表示面へ送り込むように構成されている。
【００３２】
次に、この第１の実施の形態に係る液晶表示器４の動作について、図１〜図４を参照しながら説明する。
例えば、図１（Ａ）に示すように、上側筐体１及び下側筐体２を閉じた状態において、サブ表示部（サブ表示面）１２のサブ表示面に各種の情報を表示する場合には、図２において、発光素子４１が点灯し、この発光素子４１から出射した照明光が、導光板４２の端面に設けた入光部４２Ｃから入射する。
【００３３】
この導光板４２の端面の入光部４２Ｃに入射した光のうち、導光板４２の端面に対して垂直に入射する光は導光板４２を直進して進み、それ以外の光は導光板４２の外面側に配設された反射シート４５で反射することによって拡散シートを通過し、液晶表示器４を透過するように光が入光するため、液晶表示器４を照光させることができる。
また、一部拡散シート４４に達した光が拡散シート４４で反射することで、再度導光板４２に入射し、反射シート４５に達することにより、既に述べたのと同様な光の動きを示す。この繰り返しにより、発光素子４１から出射した照明光は、導光板４２の上下に配置された拡散シート４４と反射シート４５を反射しながら、入光部４２Ｃの左側面の端面まで進行する。
【００３４】
また、別の光の動きとしては、矩形になった導光板４２の中を光が進んでいき、メイン液晶の上面であるメイン表示面１１に隣接する導光板４２の短面部４２Ｄの先端まで回込して伝わっていくことにより、この短面部４２Ｄで拡散する光などが、この短面部４２Ｄに対向・対面する開口４０Ｂに向けて供給されるので、液晶表示器４のサブ表示部（サブ表示面）１２に相当する部分を発光させることが可能になる。
【００３５】
これにより、液晶本体部４３の両面を照光してこれに対応する上側筐体の表裏両面に設けた表示面、つまりメイン表示部（メイン表示面）１１、サブ表示部（サブ表示面）１２に画像情報を表示することができる液晶表示器４を薄型で、しかも安価に構成することができる。
【００３６】
［第２の実施の形態］
次に、この発明の第２の実施形態に係る携帯電話機における液晶表示器について図５を参照しながら説明する。なお、この実施の形態において第１の実施形態と同一部分には同一符号を付して重複説明を避ける。
【００３７】
この実施の形態の液晶表示装置５が、第１の実施形態の液晶表示器４と異なる点は、導光板５１に専用の入光部を設けておらず、端面から直接照明光を入射・導光させていることと、発光素子４１位置を、液晶ホルダ５０の内部からはみ出すことなく内部に完全に閉じ込めた状態で収めて設置させてあることである。
【００３８】
このように、この実施の形態では、導光板５１を発光させる発光素子４１を液晶ホルダ５０の内部に完全に取り込むことにより、液晶表示器５をユニット化することが可能になり、取り扱いが容易となる。
【００３９】
［第３の実施の形態］
また、折畳式の携帯端末機器において、開閉状態を検知する構造を備えることにより、筐体が閉じられた状態のときはサブ表示部（サブ表示面）１２に対応する画素領域だけ画像制御のための信号を出力（配信）し、筐体が開いたときにはメイン表示部（メイン表示面）１１に対応する画素領域にだけ信号を出力するように構成してもよい。
【００４０】
このような構成とすれば、筐体の開閉状態に合わせて、使用者が必要としている情報を必要なメイン又はサブのいずれかの表示面だけに表示することができ、電流の節約を行うことができる。
【００４１】
【発明の効果】
以上のように、本発明よれば、単一の液晶表示器の本体部の両面を照光可能な導光板を設けており、単一の液晶表示器を用いて筐体の表裏両面に設けた複数の表示部を照明することが可能になるので、換言すれば、筐体内部の単一光源から筐体両面に設けた液晶表示面を照光させる構成であるので、薄型化及び軽量化が容易となる。
【００４２】
また、この発明によれば、従来の外光に頼る両面表示の液晶表示器とは異なり、液晶表示器からの照明光を本体部の両面いずれにも供給して照明可能に構成されているので、周囲が暗くてもその筐体両面の表示部に対して十分視認性を確保することができ、延いては高品質の液晶表示器を備えた携帯端末機器を提供することが可能となる。
【図面の簡単な説明】
【図１】本発明の第１の実施の形態に係る携帯電話機を示すものであり、（Ａ）は筐体を開いてサブ表示部に表示した各種の情報を観察するときの状態を示す説明図、（Ｂ）は筐体を閉じてメイン表示部に表示した各種の情報を観察するときの状態を示す説明図である。
【図２】本発明の第１の実施の形態に係る携帯電話機の液晶表示器を備えた上側筐体の断面図である。
【図３】同液晶表示器の構成を示すものであり、メイン表示部を上にした状態のときの分解斜視図である。
【図４】同液晶表示器を図３の状態とは上下逆にしてサブ表示部を上にした状態のときの分解斜視図である。
【図５】本発明の第２の実施の形態に係る液晶表示器を備えた上側筐体の断面図である。
【図６】（Ａ）は従来の携帯端末機器を開いたときの外観図、（Ｂ）は閉じた時の外観図である。
【図７】従来の携帯端末機器の上側筐体の構成を示す分解斜視図である。
【図８】図７に示す従来の携帯端末機器の上側筐体の断面図である。
【符号の説明】
１　　　　上側筐体
１１　　　メイン表示部（メイン表示面）
１２　　　サブ表示部（サブ表示面）
２　　　　下側筐体
３　　　　ヒンジ部
４、５　　液晶表示器
４０、５０　　液晶ホルダ
４０Ｂ　　開口
４１　　　発光素子（光源）
４２　　　導光板
４２Ｂ　　開口
４２Ｃ　　入光部
４２Ｄ　　短面部
４３　　　液晶本体部
４４、４４Ａ、４４Ｂ　　拡散シート
４５、４５Ａ、４５Ｂ　　反射シート
【図１】
2004037627.tif 000003
【図２】
2004037627.tif 000004
【図３】
2004037627.tif 000005
【図４】
2004037627.tif 000006
【図５】
2004037627.tif 000007
【図６】
2004037627.tif 000008
【図７】
2004037627.tif 000009
【図８】
2004037627.tif 000010